【手続補正書】
【提出日】平成18年1月26日(2006.1.26)
【手続補正１】
【補正対象書類名】特許請求の範囲
【補正対象項目名】全文
【補正方法】変更
【補正の内容】
【特許請求の範囲】
【請求項１】
多入力、多出力（ＭＩＭＯ）通信システムにおいて、データを送信するための方法であって、
ＭＩＭＯチャネル内の複数の伝送チャネルに対して符号化されたデータを与えるため、１個あるいはそれ以上の符号化方式に従ってデータを符号化し、
変調シンボルに関する複数のストリームを与えるため、１個あるいはそれ以上の変調方式に従って符号化されたデータを変調し、
一部はＭＩＭＯチャネルの推定されたチャネル応答行列に対応する固有ベクトルの行列の第１の系列および特異値の行列の第２の系列に基づいて、パルス整形行列を導出し、
複数の前調整された信号を導出するため、パルス整形行列に基づいて複数の変調シンボルストリームを前調整し、そして
複数の前調整された信号をＭＩＭＯチャネル上に送信する
ことを含む方法。
【請求項２】
パルス整形行列を導出するステップは、
ＭＩＭＯチャネルに対する推定されたチャネル応答行列を決定し、そして
固有ベクトルの行列に関する第１の系列および特異値の行列に関する第２の系列を得るため、推定されたチャネル応答行列を分解する
ことを含む請求項１記載の方法。
【請求項３】
推定されたチャネル応答行列は、周波数領域において与えられそして周波数領域において分解される請求項２記載の方法。
【請求項４】
推定されたチャネル応答行列は、特異値分解に基づいて分解される請求項２記載の方法。
【請求項５】
推定されたチャネル応答行列は、複数の固有モードを含み、そして特定のしきい値以下の特異値と組み合わせられた固有モードは、データ伝送のための使用に対しては選択されない請求項２記載の方法。
【請求項６】
多入力、多出力（ＭＩＭＯ）通信システムにおいて、データを送信するための方法であって、
ＭＩＭＯチャネル内の複数の伝送チャネルに対して符号化されたデータを与えるため、１個あるいはそれ以上の符号化方式に従ってデータを符号化し、
変調シンボルに関する複数のストリームを与えるため、１個あるいはそれ以上の変調方式に従って符号化されたデータを変調し、
一部はＭＩＭＯチャネルの推定された応答に基づいて、パルス整形行列を導出し、
ＭＩＭＯチャネルに関する推定されたチャネル応答行列を決定し、そして
固有ベクトルの行列の第１の系列および特異値の行列の第２の系列得るために推定されたチャネル応答行列を分解することを含み、
なお、パルス整形行列は行列の第１および第２の系列に基づき導出され、そして第２の系列内の各行列における特異値が推定されたチャネル応答行列に関する固有モードがほぼ等しい送信電力と組み合わせられるようにランダムに配列され、
複数の前調整された信号を導出するため、パルス整形行列に基づいて複数の変調シンボルストリームを前調整し、そして
複数の前調整された信号をＭＩＭＯチャネル上に送信する
ことを含む方法。
【請求項７】
多入力、多出力（ＭＩＭＯ）通信システムにおいて、データを送信するための方法であって、
ＭＩＭＯチャネル内の複数の伝送チャネルに対して符号化されたデータを与えるため、１個あるいはそれ以上の符号化方式に従ってデータを符号化し、
変調シンボルに関する複数のストリームを与えるため、１個あるいはそれ以上の変調方式に従って符号化されたデータを変調し、
一部はＭＩＭＯチャネルの推定された応答に基づいて、パルス整形行列を導出し、
ＭＩＭＯチャネルに関する推定されたチャネル応答行列を決定し、そして
固有ベクトルの行列の第１の系列および特異値の行列の第２の系列得るために推定されたチャネル応答行列を分解することを含み、そして
推定されたチャネル応答行列の固有のモードに割り当てられた送信電力を示す値を有する、特異値の行列の第２の系列に基づき行列に関する第３の系列を導出し、ここで行列の第１および第３の系列に基づきパルス整形行列が導出され、
複数の前調整された信号を導出するため、パルス整形行列に基づいて複数の変調シンボルストリームを前調整し、そして
複数の前調整された信号をＭＩＭＯチャネル上に送信する
ことを含む方法。
【請求項８】
行列に関する第３の系列は注水解析に基づいて導出される請求項７記載の方法。
【請求項９】
パルス整形行列は時間領域値に関する複数の系列を含み、そして前調整は、変調シンボルに関する複数のストリームをパルス整形行列でコンボルブすることによって、時間領域において実行される請求項１記載の方法。
【請求項１０】
パルス整形行列は周波数領域値に関する複数の系列を含み、そして前調整は、変換された変調シンボルに関する複数のストリームをパルス整形行列と乗算することによって、周波数領域内で実行される請求項１記載の方法。
【請求項１１】
パルス整形行列は、さらなる送信電力をより高い信号対雑音および干渉比（ＳＮＲ）を有する伝送チャネルに割り当てることによって、最大容量とするために導出される請求項１記載の方法。
【請求項１２】
パルス整形行列は、複数の変調シンボルストリームに対してほぼ等しい受信された信号対雑音および干渉比（ＳＮＲ）を与えるために導出される請求項１記載の方法。
【請求項１３】
別の符号化および変調形式が各伝送チャネルに対して用いられる請求項１記載の方法。
【請求項１４】
共通の符号化および変調形式がすべての伝送チャネルに対して用いられる請求項１記載の方法。
【請求項１５】
多入力、多出力（ＭＩＭＯ）通信システムにおいてデータを送信するための方法であって、
ＭＩＭＯチャネル内の複数の伝送チャネルに対して、符号化されたデータを与えるため、１個あるいはそれ以上の符号化方式に従ってデータを符号化し、
変調シンボルに関する複数のストリームを与えるため、１個あるいはそれ以上の変調方式に従って符号化されたデータを変調し、
ＭＩＭＯチャネルに対する推定されたチャネル応答行列を決定し、
固有ベクトルの行列に関する第１の系列、および特異値の行列に関する第２の系列を得るため、推定されたチャネル応答行列を分解し、
特異値の行列に関する第２の系列に基づいて、推定されたチャネル応答行列の固有モードに割り当てられた送信電力を示す値を有する行列に関する第３の系列を導出し、
行列に関する第１および第３の系列に基づいてパルス整形行列を導出し、
複数の前調整された信号を導出するためにパルス整形行列に基づいて複数の変調シンボルストリームを前調整し、そして
複数の前調整された信号をＭＩＭＯチャネル上に送信する、
ことを含む方法。
【請求項１６】
ディジタル情報を解釈する能力を有するディジタル信号処理デバイス（ＤＳＰＤ）と通信するように結合されたメモリであって、
ＭＩＭＯチャネル内の複数の伝送チャネルに対して、符号化されたデータを与えるため、１個あるいはそれ以上の符号化方式に従ってデータを符号化するための、
変調シンボルに関する複数のストリームを与えるため、１個あるいはそれ以上の変調方式に従って、符号化されたデータを変調するための、
一部はＭＩＭＯチャネルの推定された応答に対応する固有ベクトルの行列に関する第１の系列および特異値の行列に関する第２の系列に基づいて、パルス整形行列を導出するための、そして
ＭＩＭＯチャネル上への伝送のために複数の前調整された信号を導出するため、パルス整形行列に基づいて複数の変調シンボルストリームを前調整するための
メモリ。
【請求項１７】
多入力、多出力（ＭＩＭＯ）通信システムにおいてデータ伝送を受信するための方法であって、
データ伝送のために用いられるＭＩＭＯチャネルに対する推定されたチャネル応答行列を決定し、
固有ベクトルの行列に関する第１の系列を得るため、特異値の分解に基づき推定されたチャネル応答行列を分解し、
行列に関する第１の系列に基づいてパルス整形行列を導出し、そして
受信されたシンボルに関する複数のストリームを得るため、パルス整形行列に基づいて複数の受信された信号を前調整する
ことを含む方法。
【請求項１８】
前調整は時間領域パルス整形行列に基づいて時間領域において実行される請求項１７記載の方法。
【請求項１９】
前調整は周波数領域において実行され、そして
複数の受信された信号を周波数領域に変換し、
複数の前調整された信号を導出するため、変換された受信された信号を周波数領域パルス整形行列と乗算し、そして
複数の受信されたシンボルストリームを得るため、複数の前調整された信号を時間領域に変換する
ことを含む請求項１７記載の方法。
【請求項２０】
前調整は受信されたシンボルに関する複数のストリームを直交化する請求項１７記載の方法。
【請求項２１】
複数の回復されたシンボルストリームを導出するため、複数の受信されたシンボルストリームを等化することをさらに含む請求項１７記載の方法。
【請求項２２】
等化することは各受信されたシンボルストリームに対して別々に実行される請求項２１記載の方法。
【請求項２３】
等化することは最小平均二乗誤差線形等化器（ＭＭＳＥ‐ＬＥ）に基づいて実行される請求項２１記載の方法。
【請求項２４】
等化することは判定帰還等化器（ＤＦＥ）に基づいて実行される請求項２１記載の方法。
【請求項２５】
等化することは最尤系列推定（ＭＬＳＥ）等化器に基づいて実行される請求項２１記載の方法。
【請求項２６】
複数の復調されたデータストリームを与えるため、１個あるいはそれ以上の復調方式に従って複数の回復されたシンボルストリームを復調し、そして
復号されたデータを与えるため、１個あるいはそれ以上の復号方式に従って複数の復調されたデータストリームを復号する
ことをさらに含む請求項２１記載の方法。
【請求項２７】
ＭＩＭＯチャネルの複数の伝送チャネルに対して、推定されたチャネル応答行列、および信号対雑音および干渉比（ＳＮＲ）を含むチャネル状態情報（ＣＳＩ）を導出し、そして
ＣＳＩをデータ伝送の送信機に戻すように送出する
ことをさらに含む請求項１７記載の方法。
【請求項２８】
多入力、多出力（ＭＩＭＯ）通信システムにおいて、データ伝送を受信するための方法であって、
データ伝送に対して使用されるＭＩＭＯチャネルに対する推定されたチャネル応答行列を決定し、
固有ベクトルの行列に関する第１の系列を得るため、推定されたチャネル応答行列を分解し、
行列に関する第１の系列に基づいてパルス整形行列を導出し、
受信されたシンボルに関する複数のストリームを得るためにパルス整形行列に基づいて複数の受信された信号を前調整し、
複数の回復されたシンボルストリームを導出するため、複数の受信されたシンボルストリームを等化し、
複数の復調されたデータストリームを与えるため、１個あるいはそれ以上の復調方式に従って複数の回復されたシンボルストリームを復調し、そして
復号されたデータを与えるため、１個あるいはそれ以上の復号方式に従って複数の復調されたデータストリームを復号する
ことを含む方法。
【請求項２９】
ディジタル情報を解釈する能力を有するディジタル信号処理デバイス（ＤＳＰＤ）と通信するように結合されたメモリであって、
データ伝送に用いられるＭＩＭＯチャネルに対する推定されたチャネル応答行列を決定するための、
固有ベクトルの行列に関する第１の系列を得るため、特異値の分解に基づき推定されたチャネル応答行列を分解するための、
行列に関する第１の系列に基づいてパルス整形行列を導出するための、そして
受信されたシンボルに関する複数のストリームを得るため、パルス整形行列に基づいて複数の受信された信号を前調整するための
メモリ。
【請求項３０】
多入力、多出力（ＭＩＭＯ）通信システムにおける送信機ユニットであって、
ＭＩＭＯチャネル内の複数の伝送チャネルに対して符号化されたデータを与えるため、１個あるいはそれ以上の符号化方式に従ってデータを符号化し、そして変調シンボルに関する複数のストリームを与えるため、１個あるいはそれ以上の変調方式に従って符号化されたデータを変調するように動作するＴＸデータ処理装置と、
一部はＭＩＭＯチャネルの推定されたチャンネル応答行列に対応する固有ベクトルの行列の第１の系列および特異値の行列の第２の系列に基づいて、パルス整形行列を導出し、そして複数の前調整された信号を与えるため、パルス整形行列に基づいて複数の変調シンボルストリームを前調整するように動作するＴＸ  ＭＩＭＯ処理装置と、そして
ＭＩＭＯチャネル上に複数の前調整された信号を調整しそして送信するように動作する１個あるいはそれ以上の送信機と
を含む送信ユニット。
【請求項３１】
ＴＸ  ＭＩＭＯ処理装置はさらに、ＭＩＭＯチャネルに対する推定されたチャネル応答行列を決定し、固有ベクトルの行列に関する第１の系列および特異値の行列に関する第２の系列を得るために,推定されたチャネル応答行列を分解するように動作する請求項３０記載の送信機ユニット。
【請求項３２】
ＴＸ  ＭＩＭＯ処理装置はさらに、特異値分解を用いて周波数領域において推定されたチャネル応答行列を分解するように動作する請求項３１記載の送信機ユニット。
【請求項３３】
多入力、多出力（ＭＩＭＯ）通信システムにおける送信機ユニットであって、
ＭＩＭＯチャネル内の複数の伝送チャネルに対して符号化されたデータを与えるため、１個あるいはそれ以上の符号化方式に従ってデータを符号化し、そして変調シンボルに関する複数のストリームを与えるため、１個あるいはそれ以上の変調方式に従って符号化されたデータを変調するように動作するＴＸデータ処理装置と、
一部はＭＩＭＯチャネルの推定された応答に基づいてパルス整形行列を導出し、そして複数の前調整された信号を与えるためにパルス整形行列に基づいて複数の変調シンボルストリームを前調整するように動作するＴＸ  ＭＩＭＯ処理装置と、そして
ＭＩＭＯチャネル上に複数の前調整された信号を調整しそして送信するように動作する１個あるいはそれ以上の送信機とを含み、
なお、ＴＸ  ＭＩＭＯ処理装置はさらに、固有ベクトルの行列の第１の系列及び特異値の行列の第２の系列を得るため、ＭＩＭＯチャネルに対する推定されたチャンネル応答行列を決定し、推定されたチャンネル応答行列を分解するように動作し、ＴＸ  ＭＩＭＯ処理装置は特異値の行列に関する第２の系列に基づいて、推定されたチャネル応答行列の固有モードに割り当てられた送信電力の示す値の行列に関する第３の系列を導出し、そして行列に関する第１および第３の系列に基づいてパルス整形行列を導出するように動作する請求項３１記載の送信機ユニット。
【請求項３４】
多入力、多出力（ＭＩＭＯ）通信システムにおける送信機装置であって、
ＭＩＭＯチャネル内の複数の伝送チャネルに対して符号化されたデータを与えるため、１個あるいはそれ以上の符号化方式に従ってデータを符号化するための手段と、
変調シンボルに関する複数のストリームを与えるため、１個あるいはそれ以上の変調方式に従って符号化されたデータを変調するための手段と、
一部はＭＩＭＯチャネルの推定されたチャネル応答行列に対応する固有ベクトルの行列の第１の系列および特異値の行列の第２の系列に基づいて、パルス整形行列を導出するための手段と、
複数の前調整された信号を導出するため、パルス整形行列に基づいて複数の変調シンボルストリームを前調整するための手段と、そして
ＭＩＭＯチャネル上に複数の前調整された信号を送信するための手段と
を含む送信機装置。
【請求項３５】
多入力、多出力（ＭＩＭＯ）通信システムにおいて使用されるディジタル信号処理装置であって、
ＭＩＭＯチャネル内の複数の伝送チャネルに対して符号化されたデータを与えるため、１個あるいはそれ以上の符号化方式に従ってデータを符号化するための手段と、
変調シンボルに関する複数のストリームを与えるため、１個あるいはそれ以上の変調方式に従って符号化されたデータを変調するための手段と、
一部はＭＩＭＯチャネルに関する推定されたチャネル応答行列に対応する固有ベクトルの行列の第１の系列および特異値の行列の第２の系列に基づいて、パルス整形行列を導出するための手段と、そして
複数の前調整された信号を導出するため、パルス整形行列に基づいて複数の変調シンボルストリームを前調整するための手段と
を含むディジタル信号処理装置。
【請求項３６】
多入力、多出力（ＭＩＭＯ）通信システムにおける受信機ユニットであって、
データ伝送に使用されるＭＩＭＯチャネルに関する推定されたチャネル応答行列を決定し、固有ベクトルの行列に関する第１の系列を得るため、推定されたチャネル応答行列を分解し、行列に関する第１の系列に基づいてパルス整形行列を導出し、そして受信されたシンボルに関する複数のストリームを得るためにパルス整形行列に基づいて複数の受信された信号を前調整するように動作するＲＸ  ＭＩＭＯ処理装置と、そして
１個あるいはそれ以上の復調方式に従って複数の受信されたシンボルストリームを復調し、そして復号されたデータを与えるために１個あるいはそれ以上の復号方式に従って複数の復調されたデータストリームを復号するように動作するＲＸデータ処理装置と
を含む受信機ユニット。
【請求項３７】
ＲＸ  ＭＩＭＯ処理装置は、複数の回復されたシンボルストリームを与えるため、複数の受信されたシンボルストリームを等化するように動作する等化器を含み、そして
ＲＸデータ処理装置は、復号されたデータを与えるため、複数の回復されたシンボルストリームを復調しそして復号するように動作する、
請求項３６記載の受信機ユニット。
【請求項３８】
等化器は最小平均二乗誤差等化器（ＭＭＳＥ‐ＬＥ）である請求項３７記載の受信機ユニット。
【請求項３９】
等化器は判定帰還等化器（ＤＦＥ）である請求項３７記載の受信機ユニット。
【請求項４０】
等化器は最尤系列推定（ＭＬＳＥ）等化器である請求項３７記載の受信機ユニット。
【請求項４１】
等化器は各受信されたシンボルストリームを別々に等化するように動作する請求項３７記載の受信機ユニット。
【請求項４２】
多入力、多出力（ＭＩＭＯ）通信システムにおける受信装置であって、
データ伝送に使用されるＭＩＭＯチャネルに対する推定されたチャネル応答行列を決定するための手段と、
固有ベクトルの行列に関する第１の系列を得るため、特異値分解に基づき推定されたチャネル応答行列を分解するための手段と、
行列に関する第１の系列に基づいてパルス整形行列を導出するための手段と、そして
受信されたシンボルに関する複数のストリームを得るため、パルス整形行列に基づいて複数の受信された信号を前調整するための手段と
を含む受信装置。
【請求項４３】
多入力、多出力（ＭＩＭＯ）通信システムにおけるディジタル信号処理装置であって、
データ伝送に用いられるＭＩＭＯチャネルに対する推定されたチャネル応答行列を決定するための手段と、
固有ベクトルの行列に関する第１の系列を得るため、特異値分解に基づき推定されたチャネル応答行列を分解するための手段と、
行列に関する第１の系列に基づいてパルス整形行列を導出するための手段と、そして
受信されたシンボルに関する複数のストリームを得るため、パルス整形行列に基づいて複数の受信された信号を前調整するための手段と
を含むディジタル信号処理装置。